(57)【要約】【課題】袖部を取り外せばエプロンワンピースとなり、また左右の袖部は方で留め部材により留めるだけで簡単に着用することができるワンピース型エプロンの提供。【解決手段】エプロン本体と、左右一対の袖部とからなり、エプロンと普段着とに使い分けられるワンピース型エプロンであって、前記エプロン本体と左右それぞれの袖部とを着脱可能にした留め部材を備え、前記留め部材は、少なくとも肩部において固着されるように取り付けられるとともに、少なくとも脇部において固着されないように構成する。【選択図】  図３
2004183171.tif 000002
【特許請求の範囲】
【請求項１】
エプロン本体と、左右一対の袖部とからなり、エプロンと普段着とに使い分けられるワンピース型エプロンであって、
前記エプロン本体と左右それぞれの袖部とを着脱可能にした留め部材を備え、
前記留め部材は、エプロン本体と左右それぞれの袖部とが少なくとも肩部において固着されるように取り付けられるとともに、エプロン本体と左右それぞれの袖部とが少なくとも脇部において固着されないようにされたことを特徴とする、ワンピース型エプロン。
【請求項２】
エプロン本体と、左右一対の袖部とからなり、エプロンと普段着とに使い分けられるワンピース型エプロンであって、
前記エプロン本体と左右それぞれの袖部とを着脱可能にした留め部材を備え、
エプロン本体の後ろ身ごろは、左肩部から右下半身部に連結された第一の後ろ身ごろと、右肩部から左下半身部に連結された第二の後ろ身ごろとが、左右交差状に重ねられて形成されていることを特徴とする、ワンピース型エプロン。
【請求項３】
請求項１または２のいずれかに記載の発明において、
前記留め部材が複数設けられたことを特徴とする、ワンピース型エプロン。
【請求項４】
請求項３に記載の発明において、
複数設けられた留め部材により、エプロン本体と左右それぞれの袖部とが固着される箇所を調節可能にされたことを特徴とする、ワンピース型エプロン。
【請求項５】
請求項１〜４のいずれかに記載の発明において、
前記の第一の後ろ身ごろと第二の後ろ身ごろとを固着する後ろ身ごろ固着部材が設けられたことを特徴とする、ワンピース型エプロン。
【請求項６】
請求項５に記載の発明において、
後ろ身ごろ固着部材は、左右交差状に重ねられた後ろ身ごろ同士を、調節可能に固着する紐状部材であることを特徴とする、ワンピース型エプロン。
【請求項７】
請求項１〜６のいずれかに記載の発明において、
エプロン本体と、左右一対の袖部が複数セットされ、袖部を使い分けられることを特徴とする、ワンピース型エプロン。
【発明の詳細な説明】
【０００１】
【発明の属する技術分野】
本発明は、ワンピース型エプロンに関する。
【０００２】
【従来の技術】
従来より、様々な形状、構造、デザインのエプロンが開発されており、料理などの作業に便利な割烹着としての機能だけではなく、着心地や、お洒落の面からも優れたエプロンがあれば着用者も好んで使用することが想定されるので、望ましい。
このため、単なる前掛けのようなエプロンではなく、全身に着用することにより、通常のワンピースにも似た形状の、エプロンドレス等と呼ばれる計上のエプロンも出回っている。
たとえば実用新案登録第３０６４８４０号「エプロンドレス」においては、軽量で暑苦しくなく、作業性のよいエプロンドレスが提案されている。
エプロンドレスとして防水材被覆繊維生地からなり、その左右端上縁に各々結び紐を付けて凸形状に展開し、非交差で相互の連結タブ付きのサスペンダ−を正面から形成して、その他端にある複数列配置のドットボタンの列を選択して交差することなく本体の左右端上縁にあるドットボタンに嵌合し、着用時に結び紐を正面の内側で結び、その結果裾が重なり合い、サスペンダ−が背面で逆Ａ字状を示すように裾幅を左右長くとってあるものである。
軽量で防水性にすぐれ、サスペンダ−が肩からはずれず、背中が開いて通気性がよいので、水作業や動物類の血液等の伴う水産加工のみならず、食肉や魚肉加工などの食品加工等の作業現場においても広く使用することができる。
【０００３】
【発明が解決しようとする課題】
しかしながら、前述したエプロンドレスにおいては、前身ごろと後ろ身ごろとが上半身までを覆うように広くとってはあるものの、炊事や洗い物などの作業をすることを考慮して、袖がないかあっても肩部分だけのものがほとんどである。したがって、夏の暑い時などであればよいものの、あくまでも炊事などのための作業着であって、日常的に着用するものとしては不十分であった。
仮にデザイン性に優れたエプロンドレスがあっても、その下にたとえば袖のあるブラウスを着用するなどしなければならなかった。
一方、ワンピース形状のエプロンに長袖をつけてしまうと、これでは通常のワンピースと変わらないことになり、炊事や洗い物などの作業には不向きである。
【０００４】
そこで従来より、袖の取り外しが可能な割烹着や衣類が考案されている。
実開平６−５１２１９「袖だけの割烹着」は、衣服の袖口のあたりが汚れたり、水に濡れたりすることがないよう、袖口のあたりを保護するための袖だけの割烹着である。手首から肘上７ｃｍ程度までの長さの、ゆったりとし、袖口（２）にゴム紐を内装した袖を左右２つ形成し、体の動きになじむための伸縮性のある紐にて左右の袖を連結することを特徴とする。
また、特開２００１−２１４３１２「腕カバー」は、スポーツをするときに腕の日焼けを防止できる腕カバーである。上衣の袖口あるいは肩口から手首までの腕部分を被覆する腕カバーであって、紫外線遮蔽性を有する第１布と吸水性を有する第２布とで円筒状のカバー本体が構成されている。
このような袖だけの衣類を利用すれば、袖の機能が必要な時だけ、着用をすることはできる。
しかし上記の「袖だけの割烹着」も「腕カバー」も、それぞれの機能を満たすためだけに開発されたものであり、特有の袖機能のほかにこれといった機能やデザイン上の特徴は見られない。
【０００５】
一方、特開２００２−５４０１５「上衣」においては、袖部の取付、取外しを改良した、袖部が取り外し自在なラグラン袖タイプの上衣が提案されており、着脱の可能な袖と、これとデザイン上も一体となった上衣とが開示されている。
ラグラン袖を取り外し自在とした上衣において、該袖部の肩側延長線上の先端には係止片を設けるとともに、前記上衣の衿部は、外衿と内衿とから構成し、前記係止片を前記外衿と内衿との間に挿入するようにしたものである。
また同様に、特開２００１−３４８７１４「袖の取り外しができる上衣及びその設計方法」においても、ラグラン袖が取り外しできる上衣において、袖を取付けた状態でも、袖を取り外してベストにしたときにおいても、いずれのときにも上衣と人体の肩線とがぴったりと合うようにして、見栄えの点においても優れた袖取り外し式上衣が開示されている。
このため、袖を取り付けて着用した場合には、上衣本体と袖部が一体化することにより、取り外しを感じさせない自然なシルエットとすることができる。
【０００６】
しかしながら、上記出願に開示されている袖の取り外し可能な上衣の場合には、袖を取り付けた場合には通常の長袖の上衣であって、袖を取り外した場合には通常の袖なしの上衣であって、機能的にも、使用する場面においても同じものである。
これに対し、本発明のワンピース型エプロンにおいては、クッキングやガーデニングその他の作業をするための機能的に優れたエプロンを、デザイン上も見栄えよくすると共に、エプロンとして使用する際にも袖の調節を可能にし、身動きをしやすくするだけではなく、さらに、日常的に着用するための普段着、カジュアルな外出着としても使用可能な機能およびデザインを備えたワンピース型エプロンを提供することを目的とする。したがって、機能的にも様々な内容を有し、しかも使用する場面においても異なる様々な場面において使用可能なものである。
【０００７】
【課題を解決するための手段】
上記課題を解決するため、請求項１に記載の発明においては、
エプロン本体と、左右一対の袖部とからなり、エプロンと普段着とに使い分けられるワンピース型エプロンであって、
前記エプロン本体と左右それぞれの袖部とを着脱可能にした留め部材を備え、
前記留め部材は、エプロン本体と左右それぞれの袖部とが少なくとも肩部において固着されるように取り付けられるとともに、エプロン本体と左右それぞれの袖部とが少なくとも脇部において固着されないようにされた、ワンピース型エプロンであることを特徴としている。
【０００８】
また、上記課題を解決するため、請求項２に記載の発明においては、
エプロン本体と、左右一対の袖部とからなり、エプロンと普段着とに使い分けられるワンピース型エプロンであって、
前記エプロン本体と左右それぞれの袖部とを着脱可能にした留め部材を備え、
エプロン本体の後ろ身ごろは、左肩部から右下半身部に連結された第一の後ろ身ごろと、右肩部から左下半身部に連結された第二の後ろ身ごろとが、左右交差状に重ねられて形成されている、ワンピース型エプロンであることを特徴としている。
【０００９】
また、上記課題を解決するため、請求項３に記載の発明においては、
請求項１または２のいずれかに記載の発明において、
前記留め部材が複数設けられた、ワンピース型エプロンであることを特徴としている。
【００１０】
また、上記課題を解決するため、請求項４に記載の発明においては、
請求項３に記載の発明において、
複数設けられた留め部材により、エプロン本体と左右それぞれの袖部とが固着される箇所を調節可能にされた、ワンピース型エプロンであることを特徴としている。
【００１１】
また、上記課題を解決するため、請求項５に記載の発明においては、
請求項１〜４のいずれかに記載の発明において、
前記の第一の後ろ身ごろと第二の後ろ身ごろとを固着する後ろ身ごろ固着部材が設けられた、ワンピース型エプロンであることを特徴としている。
【００１２】
また、上記課題を解決するため、請求項６に記載の発明においては、
請求項５に記載の発明において、
後ろ身ごろ固着部材は、左右交差状に重ねられた後ろ身ごろ同士を、調節可能に固着する紐状部材である、ワンピース型エプロンであることを特徴としている。
【００１３】
また、上記課題を解決するため、請求項７に記載の発明においては、
請求項１〜６のいずれかに記載の発明において、
エプロン本体と、左右一対の袖部が複数セットされ、袖部を使い分けられる、ワンピース型エプロンであることを特徴としている。
【００１４】
【発明の実施の形態】
以下、本発明の実施の形態について図面を参照して説明する。
本発明のワンピース型エプロンは、エプロン本体１と、左右一対の袖部２とからなり、エプロンと普段着とに使い分けられるワンピース型エプロンである。
【００１５】
エプロン本体の形状は、様々なものが従来知られており、前身ごろ１１と後ろ見ごろとを備えたワンピース型のエプロン本体１であれば、様々な形状、デザインのものを採用することができる。
また、前だれ部とウエスト部とを設けが接する部分にギャザーを入れたり、腰ヒモを設けたり、前身ごろ１１にポケットを設けたり、上半身にフリル等の装飾を設けたりといった様々なデザインを採用することができる。
【００１６】
従来、ワンピース型エプロンに近いものとしては、「エプロンドレス」等の名称で、図１、図２に一例が示されるようなワンピースの形状を備えたエプロンが知られている。
これに対し、本発明のワンピース型エプロンにおいては、前記エプロン本体１と左右それぞれの袖部２とを着脱可能にした留め部材３を備えている。
図３は、本発明のワンピース型エプロンの袖部２の一例を示す正面図である。留め部材３は、ボタン、スナップ、ホック、結び紐、ファスナー、面ファスナー、その他の、エプロン本体１と左右それぞれの袖部２とを着脱可能にする部材であれば様々な留め部材３を採用することができる。
【００１７】
図４は、留め部材３としてボタンを用いることとして、ボタンをエプロン本体１に装着した場合の、袖部２に設けられるボタン穴の一例を示す拡大図である。図５は、留め部材３としてボタンを用いることとして、ボタンをエプロン本体１に装着した場合の、ワンピース型エプロンの本体の一例を示す正面図である。
【００１８】
前記留め部材３は、少なくとも肩部３１において固着されるように取り付けられるとともに、少なくとも脇部３２において固着されないようにされていることが望ましい。
図４に示されるように、袖部２に設けられる留め部材３は、着用した時に肩部分にあたる袖口開口部の上部に設けられており、着用した時に脇部分にあたる袖口開口部の株には留め部材３が設けられていない。また、図５に示されるように、エプロン本体１に設けられる留め部材３は、着用した時に肩部分にあたる袖口開口部の上部に設けられており、着用した時に脇部分にあたる袖口開口部の下部には留め部材３が設けられていない。
これにより、エプロン本体１を着用し、次いで左右一対の袖部２に腕を通して留め部材３同士を止め、エプロン本体１と左右一対の袖部２とをそれぞれ固着することにより、少なくとも肩部３１において固着されるように取り付けられるとともに、少なくとも脇部３２において固着されないようにすることができる。
【００１９】
図６は、エプロン本体１と左右一対の袖部２とをそれぞれ固着することにより、少なくとも肩部３１において固着され、少なくとも脇部３２において固着されない状態で着用される本発明のワンピース型エプロンの正面図である。
図６において明らかなように、袖口において脇部３２が固着されずに自由に動かすことができるので、腕を上下、前後に動かした際にも、動作が制約されずに動きやすい。したがって調理などの作業においても動作が楽であるとともに、ワンピースとして街着などとして利用する場合にも活発な動作ができ、しかもデザイン上も特徴がある。
【００２０】
前述したように、留め部材３としては他にも様々な部材を採用することができる。
図７は、留め部材３として結び紐を用いることとして、左右の袖部２およびエプロン本体１のそれぞれに一対の結び紐が設けられた一例を示す正面図である。留め部材３である結び紐は、前述したボタンの例と同様に、少なくとも肩部３１において固着されるように取り付けられるとともに、少なくとも脇部３２において固着されないようにされていることが望ましい。
図８は、留め部材３として結び紐を用いた場合の、エプロン本体１と左右一対の袖部２とをそれぞれ固着することにより、少なくとも肩部３１において固着され、少なくとも脇部３２において固着されない状態で着用される本発明のワンピース型エプロンの正面図である。
【００２１】
図８に示されるように、袖部２に設けられる留め部材３は、着用した時に肩部分にあたる袖口開口部の上部に設けられており、着用した時に脇部分にあたる袖口開口部の下部には留め部材３が設けられていない。また、図５に示されるように、エプロン本体１に設けられる留め部材３は、着用した時に肩部分にあたる袖口開口部の上部に設けられており、着用した時に脇部分にあたる袖口開口部の下部には留め部材３が設けられていない。
これにより、エプロン本体１を着用し、次いで左右一対の袖部２に腕を通して留め部材３同士を止め、エプロン本体１と左右一対の袖部２とをそれぞれ固着することにより、少なくとも肩部３１において固着されるように取り付けられるとともに、少なくとも脇部３２において固着されないようにすることができる。
この場合にも、袖口において脇部３２が固着されずに自由に動かすことができるので、腕を上下、前後に動かした際にも、動作が制約されずに動きやすい。また、結ばれた紐がデザイン上のアクセントにもなる。
【００２２】
なお、図４から図８においては、留め部材３としてボタンを用いた例を示し、ボタンおよびボタン穴はそれぞれ一つずつ設けられた例を示したが、別の例によれば留め部材３を複数設けることも可能である。
図９は、留め部材３（３ａ、３ｂ・・・）としてボタンを用いた場合の、エプロン本体１と左右一対の袖部２とを、それぞれ複数のボタンによって固着することにより、少なくとも肩部３１において固着され、少なくとも脇部３２において固着されない状態で着用される本発明のワンピース型エプロンの正面図である。
【００２３】
さらに、本発明の別の実施形態について説明すると、エプロン本体１と左右一対の袖部２との固着は、少なくとも肩部３１において固着されるように取り付けられるとともに、少なくとも脇部３２において固着されないようにすることが望ましいが、固着される箇所を調節可能にすることは、別の意味からは望ましい。たとえば、エプロンとして利用する場合など動作が多い着用時には袖が動かしやすいようにすることができ、一方普段着のワンピースとして利用する場合など、動作がそれほど多くない場合や、隙間風を防ぎたい場合などには固着箇所を多くするような場合が想定される。
図１０は、留め部材３（３ａ、３ｂ、３ｃ・・・）としてボタンを用いた場合の、エプロン本体１と左右一対の袖部２とを、それぞれ複数のボタンによって固着することとともに、固着箇所を調節可能にした形態の一例を示すワンピース型エプロンの正面図である。図１０において、左側の袖はボタンがすべて留められており、固着箇所を多いので、動作がそれほど多くない場合や、隙間風を防ぎたい場合などには便利である。一方、右の袖は袖口上部以外の下方のボタンがはずされており、固着箇所が少なくなるように調節可能にされているので、エプロンとして利用する場合など動作が多い着用時には袖が動かしやすい。
【００２４】
同様に、図１１は、留め部材３（３ａ、３ｂ・・・）として結び紐を用いた場合の、エプロン本体１と左右一対の袖部２とを、それぞれ複数の結び紐によって固着することとともに、固着箇所を調節可能にした形態の一例を示すワンピース型エプロンの正面図である。図１１において、左側の袖は結び紐がすべて結ばれており、固着箇所を多いので、動作がそれほど多くない場合や、隙間風を防ぎたい場合などには便利である。一方、右の袖は袖口上部以外の下方の結び紐がはずされており、固着箇所が少なくなるように調節可能にされているので、エプロンとして利用する場合など動作が多い着用時には袖が動かしやすい。
このようにした場合にも、袖口の固着を調節すれば、動作の大きいときには袖口において脇部３２が固着されずに自由に動かすことができるように調節可能であるために、腕を上下、前後に動かした際にも、動作が制約されずに動きやすい。
【００２５】
さらに、留め部材３（３ａ、３ｂ・・・）を複数設けた場合には、留め部材３の位置によって留め部材３の種類を変えることができる。
図１２は、留め部材３（３ａ）として袖口上部の肩部３１にはボタンを用いるとともに、袖口下方の調節用の留め部材３（３ｂ）には結び紐を用いた場合の、袖部２とエプロン本体１との固着箇所を調節可能にした形態の一例を示すワンピース型エプロンの正面図である。
この場合には、ボタンははずれにくいので動作が激しくても結び目はほどけたりすることがない一方、結び紐がデザイン上のアクセントになる。
一方逆に、図１３は、留め部材３（３ａ）として袖口上部の肩部３１には結び紐を用いるとともに、袖口下方の調節用の留め部材３（３ｂ）にはボタンを用いた場合の、袖部２とエプロン本体１との固着箇所を調節可能にした形態の一例を示すワンピース型エプロンの正面図である。留め部材３（３ａ）として袖口上部の肩部３１には結び紐を用いるとともに、袖口下方の調節用の留め部材３（３ｂ）にはボタンを用いた場合には、結び紐は必ず結ばれるのでデザイン上もひときわ目立つアクセントとなると同時に、ボタンは留められたりはずされたりすることがあっても、目立つことがなく違和感がない。
【００２６】
次に、図１４に、本発明のワンピース型エプロンの背面図の一例を示す。
前述したように、本発明においてエプロン本体１は、前身ごろ１１と後ろ見ごろとを備えたワンピース型のエプロン本体１であれば、様々な形状、デザインのものを採用することができる。
好ましい一例としては、図１４に示すように、エプロン本体１の後ろ身ごろ１２は、左肩部から右下半身部に連結された第一の後ろ身ごろ１２ａと、右肩部から左下半身部に連結された第二の後ろ身ごろ１２ｂとが、左右交差状に重ねられて形成されているものである。
【００２７】
第一の後ろ身ごろ１２ａと、第二の後ろ身ごろ１２ｂとは、左右交差上に重ねられた部分より上は、たとえば肩紐状にすることもできるが、本発明においてはワンピースとしても着用可能なエプロンとするため、肩紐上の肩部から徐々に幅が広くなる形態を望ましい一例として示した。背面で交差させるのは、肩ヒモがずり落ちるのを防ぐためであり、また着用する手間を楽にするためであり、さらに着用中の着心地を楽にするためであり、また交差させた着用態様のデザイン上の面からでもあるが、必ずしも交差上の形状を採用する必要はない。頭から被るように体を通し、腕を袖口に通して着用するものであってもよく、また背中などをファスナーで留めて着用するものであってもよい。
【００２８】
次に、さらに望ましい実施形態を説明すると、第一の後ろ身ごろ１２ａと、右肩部から左下半身部に連結された第二の後ろ身ごろ１２ｂとが、左右交差状に重ねられて形成され、着用が楽であるとともに、肩のずり下がりを防止するために、第一の後ろ身ごろ１２ａと第二の後ろ身ごろ１２ｂとを固着する後ろ身ごろ固着部材１３が設けられた形態にすることができる。
後ろ身ごろ固着部材１３は、ボタン、スナップ、ホック、結び紐、ファスナー、面ファスナー、その他の、第一の後ろ身ごろ１２ａと第二の後ろ身ごろ１２ｂとを着脱可能にする部材であれば様々な固着部材を採用することができる。
図１４においては、後ろ身ごろ固着部材１３として、左右交差状に重ねられた後ろ身ごろ１２ａ、１２ｂ同士を調節可能に固着する紐状部材を採用した例を示す。紐を結ぶことによって、後姿においてのデザイン上のアクセントとすることができる。
【００２９】
図１５は、本発明のワンピース型エプロンの着用の様々な態様を示す使用状態図である。袖部２を取り外せばエプロンワンピースとなり、また左右の袖部２は肩で留め部材３により留めるだけで簡単に着用することができる。袖部２を装着した状態でも、クッキングやガーデニングなどの作業がしやすく、また普段着としての着用もできる。したがって、使用目的や、寒暖の差、屋内・屋外でも使用などの状況に応じて、袖の着脱をすることにより多様な使用方法を楽しむことができ、しかも実用的である。
さらに、クッキングやガーデニングなどの作業などをした場合には、特に袖部２が汚れることがあるが、エプロン本体１と、左右一対の袖部２が複数セットされ、袖部２を使い分けられるようにすれば、袖を差し替えて使用することもでき、清潔であるばかりでなく、一着でデザイン上の変化を楽しむこともできるワンピース型エプロンを実現することができる。
【００３０】
【発明の効果】
以上詳細に説明したように、本発明のワンピース型エプロンによれば、クッキングやガーデニングその他の作業をするための機能的に優れたエプロンを、デザイン上も見栄えよくすると共に、エプロンとして使用する際にも袖の調節を可能にし、身動きをしやすくすることができる。さらに本発明によれば、日常的に着用するための普段着、カジュアルな外出着としても使用可能な機能およびデザインを備えたワンピース型エプロンを提供することができる。したがって、機能的にも様々な内容を有し、しかも使用する場面においても異なる様々な場面において使用することができる。
本発明のワンピース型エプロンによれば、袖部２を取り外せばエプロンワンピースとなり、また左右の袖部２は肩で留め部材３により留めるだけで簡単に着用することができる。袖部２を装着した状態でも、クッキングやガーデニングなどの作業がしやすく、また普段着としての着用もできる。したがって、使用目的や、寒暖の差、屋内・屋外でも使用などの状況に応じて、袖の着脱をすることにより多様な使用方法を楽しむことができ、しかも実用的である。
【図面の簡単な説明】
【図１】従来のワンピースの形状を備えたエプロンの一例を示す正面図である。
【図２】従来のワンピースの形状を備えたエプロンの一例を示す正面図である。
【図３】本発明のワンピース型エプロンの袖部の一例を示す正面図である。
【図４】留め部材としてボタンを用いることとして、ボタンをエプロン本体に装着した場合の、袖部に設けられるボタン穴の一例を示す拡大図である。
【図５】留め部材としてボタンを用いることとして、ボタンをエプロン本体に装着した場合の、ワンピース型エプロンの本体の一例を示す正面図である。
【図６】エプロン本体と左右一対の袖部とをそれぞれ固着することにより、少なくとも肩部において固着され、少なくとも脇部において固着されない状態で着用される本発明のワンピース型エプロンの正面図である。
【図７】留め部材として結び紐を用いることとして、左右の袖部およびエプロン本体のそれぞれに一対の結び紐が設けられた一例を示す正面図である。
【図８】留め部材として結び紐を用いた場合の、エプロン本体と左右一対の袖部とをそれぞれ固着することにより、少なくとも肩部において固着され、少なくとも脇部において固着されない状態で着用される本発明のワンピース型エプロンの正面図である。
【図９】留め部材としてボタンを用いた場合の、エプロン本体と左右一対の袖部とを、それぞれ複数のボタンによって固着することにより、少なくとも肩部において固着され、少なくとも脇部において固着されない状態で着用される本発明のワンピース型エプロンの正面図である。
【図１０】留め部材としてボタンを用いた場合の、エプロン本体と左右一対の袖部とを、それぞれ複数のボタンによって固着することとともに、固着箇所を調節可能にした形態の一例を示すワンピース型エプロンの正面図である。
【図１１】留め部材として結び紐を用いた場合の、エプロン本体と左右一対の袖部とを、それぞれ複数の結び紐によって固着することとともに、固着箇所を調節可能にした形態の一例を示すワンピース型エプロンの正面図である。
【図１２】留め部材として袖口上部の肩部にはボタンを用いるとともに、袖口下方の調節用の留め部材には結び紐を用いた場合の、袖部とエプロン本体との固着箇所を調節可能にした形態の一例を示すワンピース型エプロンの正面図である。
【図１３】留め部材として袖口上部の肩部には結び紐を用いるとともに、袖口下方の調節用の留め部材にはボタンを用いた場合の、袖部とエプロン本体との固着箇所を調節可能にした形態の一例を示すワンピース型エプロンの正面図である。
【図１４】本発明のワンピース型エプロンの背面図の一例を示す背面図である。
【図１５】本発明のワンピース型エプロンの着用の様々な態様を示す使用状態図である。
【符号の説明】
１  エプロン本体
１１  前身ごろ
１２（１２ａ、１２ｂ）  後ろ身ごろ
１３  後ろ身ごろ固着部材
２  袖部
３（３ａ、３ｂ、３ｃ）  留め部材
３１  肩部
３２  脇部
【図１】
2004183171.tif 000003
【図２】
2004183171.tif 000004
【図３】
2004183171.tif 000005
【図４】
2004183171.tif 000006
【図５】
2004183171.tif 000007
【図６】
2004183171.tif 000008
【図７】
2004183171.tif 000009
【図８】
2004183171.tif 000010
【図９】
2004183171.tif 000011
【図１０】
2004183171.tif 000012
【図１１】
2004183171.tif 000013
【図１２】
2004183171.tif 000014
【図１３】
2004183171.tif 000015
【図１４】
2004183171.tif 000016
【図１５】
2004183171.tif 000017